(57)【要約】【課題】水の抵抗を増すことなく弾性材料どうしが強固に接合してパッドを形成しているスイミングゴーグルの提供。【解決手段】スイミングゴーグル１がレンズ部２と、レンズ部２の周縁部分１２に取り付けられるパッド部３とを有する。パッド部３は硬質の第１弾性材料２１ａからなる第１弾性部材２１と、軟質の第２弾性材料２２ａからなる第２弾性部材２２とで形成され、第２弾性部材２２が第１弾性部材２１に対してレンズ部２の径方向から密着し、接合する。【選択図】図１
2005160941.tif 000002
【特許請求の範囲】
【請求項１】
縦方向と前記縦方向に直交する横方向と前記縦方向と横方向とに直交する前後方向とを有するカップ状のレンズ部の一対が前記横方向において並び、前記レンズ部それぞれの周縁部分に取り付けられて前記前後方向へ延びる環状のパッド部と、前記横方向において互いに向かい合う前記レンズ部の内端部どうしの間に延びる鼻ベルト部と、前記レンズ部の外端部どうしの間に延びるヘッドバンド部とを有し、前記レンズ部が硬質プラスチックで形成される一方、前記パッド部が弾性材料で形成されており、前記周縁部分に分離不能に取り付けられた第１弾性部材と、前記第１弾性部材に分離不能に接合して前記スイミングゴーグル着用者の顔面に接触可能な第２弾性部材とからなるスイミングゴールにおいて、
前記第１弾性部材は、第１弾性材料によって形成されていて、前記レンズ部に前記縦方向と前記横方向とを含む前記レンズ部の径方向と前記前後方向とのうちの少なくとも前記径方向において密着し、前記第２弾性部材は前記第１弾性部材と硬さ、色調および化学的組成のいずれかが異なる第２弾性材料によって形成されており、前記第１弾性部材に対して前記径方向と前記前後方向とのうちの少なくとも前記径方向において密着し接合していることを特徴とする前記スイミングゴーグル。
【請求項２】
前記パッド部の前記第１弾性材料と第２弾性材料とが、前記レンズ部の前記内端部どうしの間に延びて前記鼻ベルト部を形成している請求項１記載のスイミングゴーグル。
【請求項３】
前記第２弾性材料が前記第１弾性材料よりも軟質のものである請求項１または２記載のスイミングゴーグル。
【発明の詳細な説明】
【技術分野】
【０００１】
この発明は、スイミング用のゴーグルに関する。
【背景技術】
【０００２】
従来、スイミングゴーグルのレンズ部の周縁部分に柔軟弾性材料からなるパッドを設けることはよく知られている。
【０００３】
例えば、実開昭６１−４６４９８号公報（特許文献１）に開示されたゴーグルでは、硬質プラスチックで成形した筒状本体の一方の端部にレンズ部が取り付けられ、筒状本体のもう一方の端部にはスポンジ等の柔軟接触片が取り付けられる。このゴーグルを着用すると、柔軟接触片が着用者の顔面に密着する。
【０００４】
実用新案登録第３０４８５１７号公報（特許文献２）に開示された水泳用のゴーグルパッドは、吸着層と軟質層との２部材からなる。吸着層は、緩衝部と連接部とを含み、緩衝部がレンズフレームに取り付けられ、連接部には軟質層が取り付けられる。吸着層はＪ字型断面を有し、そのＪ字型断面の先端部分には、スポンジ等の柔軟材料からなる軟質層がレンズの厚さ方向（前後方向）において重なり合う態様で取り付けられている。
【特許文献１】実開昭６１−４６４９８号公報
【特許文献２】実用新案登録第３０４８５１７号公報
【発明の開示】
【発明が解決しようとする課題】
【０００５】
特許文献２に記載のパッドは、柔軟性の異なる２部材を組み合わせることによって、レンズフレームに対しての強固な取り付けと、ゴーグル着用者の顔面に対してのソフトな密着とが可能になるという効果を有し、その効果は、特許文献１に記載のパッドである柔軟な接触片と比較した場合に顕著になると考えられる。かような部材からなる特許文献２のパッドは、その吸着層の連接部に軟質層がゴーグルの前後方向から重なり、接着されるもので、これら連接部と軟質層との接着を強固にしようとするときには、接着力の強い接着剤を使用することの他に、互いに重なり合う部分の面積を広くすることがある。しかし、その面積を広くするには連接部の外径を大きくすることが必要であり、そのようにすることは遊泳時における水の抵抗が増す原因となる。
【０００６】
この発明が課題とするところは、スイミングゴーグルのレンズ部の周縁部分に取り付けられるパッド部が、硬さや色調の異なる２種類の弾性部材からなる場合おいて、それら２種類の弾性部材を強固にかつ水の抵抗を増すことがないように接合することにある。
【課題を解決するための手段】
【０００７】
前記課題解決のために、この発明が対象とするのは、縦方向と前記縦方向に直交する横方向と前記縦方向と横方向とに直交する前後方向とを有するカップ状のレンズ部の一対が前記横方向において並び、前記レンズ部それぞれの周縁部分に取り付けられて前記前後方向へ延びる環状のパッド部と、前記横方向において互いに向かい合う前記レンズ部の内端部どうしの間に延びる鼻ベルト部と、前記レンズ部の外端部どうしの間に延びるヘッドバンド部とを有し、前記レンズ部が硬質プラスチックで形成される一方、前記パッド部が弾性材料で形成されており、前記周縁部分に分離不能に取り付けられた第１弾性部材と、前記第１弾性部材に分離不能に接合して前記スイミングゴーグル着用者の顔面に接触可能な第２弾性部材とからなるスイミングゴールである。
【０００８】
かかるスイミングゴーグルにおいて、この発明が特徴とするところは、次のとおりである。前記第１弾性部材は、第１弾性材料によって形成されていて、前記レンズ部に前記縦方向と前記横方向とを含む前記レンズ部の径方向と前記前後方向とのうちの少なくとも前記径方向において密着する。前記第２弾性部材は、前記第１弾性部材と硬さ、色調および化学的組成のいずれかが異なる第２弾性材料によって形成されており、前記第１弾性部材に対して前記径方向と前記前後方向とのうちの少なくとも前記径方向において密着し接合している。
【０００９】
この発明の実施態様の一つにおいて、前記パッド部の前記第１弾性材料と前記第２弾性材料とが、前記レンズ部の前記内端部どうしの間に延びて前記鼻ベルト部を形成している。
【００１０】
この発明の実施態様の他の一つにおいて、前記第２弾性材料が前記第１弾性材料よりも軟質なものである。
【発明の効果】
【００１１】
この発明に係るスイミングゴーグルは、パッド部において第２弾性部材が第１弾性部材に対してレンズ部の径方向において密着し接合しているので、これら両弾性部材の接合する面積を広くしてもレンズ部やパッド部の外径が大きくならず、遊泳時の水の抵抗を増すことがない。また、パッド部と鼻ベルト部とを一体的に成形すれば、鼻ベルト部をレンズ部やパッド部とは別個の部材とするゴーグルに比べて、ゴーグルを組み立てる手間が少なくなる。さらにはまた、第２弾性部材を形成している第２弾性材料に軟質なものを使用して、この第２弾性材料がゴーグル着用者の鼻と向かい合うようにすれば、鼻ベルト部は鼻に接触しても鼻を圧迫することがない。
【発明を実施するための最良の形態】
【００１２】
添付の図面を参照してこの発明に係るスイミングゴーグルの詳細を説明すると、以下のとおりである。
【００１３】
図１に斜視図で示されたスイミングゴーグル１は、一対のレンズ部２を含み、そのレンズ部２は双頭矢印Ａで示される横方向と、双頭矢印Ｂで示される前後方向と、双頭矢印Ｃで示される縦方向とを有し、横方向Ａにおいて互いに向かい合う内端部４と、内端部４の反対端部である外端部７とを有する。ゴーグル１はまた、レンズ部２に取り付けられたパッド部３と、パッド部３のそれぞれと一体に形成されていてレンズ部２の内端部４どうしの間に延びる鼻ベルト部６と、レンズ部３の外端部７どうしの間に延びるヘッドバンド部８とを有する。
【００１４】
レンズ部２は、硬質で透明なプラスチック材料によって形成されており、図示例において長円形を呈するレンズ部分１１と、レンズ部分１１の周囲に位置する周縁部分１２とを有し、その周縁部分１２はヘッドバンド８方向へ向かって延びる後方延出部１５を有し、その後方延出部１５はレンズ部２の外端部７を形成するものでもある。
【００１５】
パッド部３は、図において大きなドットを付して示されている第１弾性材料２１ａからなる第１弾性部材２１と、図において小さなドットを付して示されている第２弾性材料２２ａからなる第２弾性部材２２とによって形成されている。第１弾性材料２１ａは、第２弾性材料２２ａよりも硬質で弾性率が高く、第２弾性材料２２ａよりも変形し難いものであり、第２弾性材料２２ａは、軟質で低い弾性率を有し、着用者の顔面に沿って容易に変形し、かつ密着する。
【００１６】
鼻ベルト部４は、パッド部３それぞれの第１弾性部材２１どうしおよび第２弾性部材２２どうしをつなぐように第１弾性材料２１ａと第２弾性材料２２ａとによって形成されている。これら両弾性材料２１ａ、２２ａが一体化することによって、鼻ベルト部３の剛性が適度の値となるように調整されている。
【００１７】
ヘッドバンド部８は、両端部２３のそれぞれが、レンズ部２の後方延出部１５に形成された挿通孔２４にゴーグル１の後方から通されて、折り返されている。かかるヘッドバンド部８は、エラストマーによって形成されており、弾性的に伸長可能なものであるが、バックル２６によって長さを調節することもできる。
【００１８】
図２は、図１のＩＩ−ＩＩ線切断面を示す図である。レンズ部２は、レンズ部分１１と、そのレンズ部分１１からゴーグル着用者の顔面へ向かうように後方へ延びる周縁部分１２とによってカップ状に形成されている。周縁部分１２の外面には、周縁部分１２をほぼ一周する溝部２７が形成されている。第１弾性部材２１は、環状に形成されていて（図１，３参照）、周縁部分１２の溝部２７に嵌合して横方向Ａと縦方向Ｃとを含むレンズ部２の径方向において周縁部分１２に密着して分離不能に接合するとともに、レンズ部２の前後方向Ｂにおいて周縁部分１２の後端面２８の一部分にも密着して分離不能に接合している。第２弾性部材２２もまた環状に形成されていて（図１，３参照）、前後方向Ｂのうちの前方に位置する前方部分３１と、後方に位置してＪ字型または逆Ｊ字型に湾曲している後方部分３２とを有する。前方部分３１は、第１弾性部材２１に対してレンズ部２の縦方向Ｃと前後方向Ｂとにおいて密着して分離不能に接合するとともに、レンズ部２の後端面２８にも分離不能に接合している。湾曲している後方部分３２は、着用者の顔面に接触したときに容易に弾性変形して密着し、顔面を圧迫することがない。
【００１９】
図３，４は、図１のＩＩＩ−ＩＩＩ線断面図と、その断面図に現われたレンズ部２のみの断面図である。図４において、レンズ部２の周縁部分１２は、内端部４に鼻ベルト部６へ向かって延びる前方延出部３６を有し、その前方延出部３６には透孔３７が形成されている。周縁部分１２に沿って延びる溝部２７は、この透孔３７につながっていて図では参照符号２７で示されているが、透孔３７の内部では溝の形を成していない。周縁部分１２はまた、後方延出部１５にヘッドバンド８を挿通するための透孔２４と第１弾性部材２１が嵌合する溝部２７を有する。図３において明らかなように、第１弾性部材２１を形成する第１弾性材料２１ａは、レンズ部２の内端部４において、周縁部分１２にレンズ部２の横方向Ａから密着して分離不能に接合し、透孔３７を埋めるとともに、前方延出部３６を覆って鼻ベルト部６にまで延びている。第１弾性部材２１はまた、周縁部分１２における溝部２７に嵌合して内端部４から外端部７へ向かって延びるとともに、周縁部分１２の後端面２８の一部分に分離不能に接合している。
【００２０】
第２弾性部材２２もまた、図３において明らかなように、前方部分３１が第１弾性部材２１に対して、横方向Ａと前後方向Ｂとにおいて密着して分離不能に接合するとともに、レンズ部２の周縁部分１２における後端面２８の一部分にも分離不能に接合している。かような第２弾性部材２２は、後端面２８に接合した状態で周縁部分１２を一周するように延びる環状を呈している。第２弾性部材２２の後方部分３２は、顔面に密着し易いようにＪ字型に湾曲している。
【００２１】
図５は、図１の鼻ベルト部６を縦断するＶ−Ｖ線に沿った切断面を示す図である。鼻ベルト部６は、パッド部３における第１弾性部材２１を形成している硬質の第１弾性材料２１ａと第２弾性部材２２を形成している軟質の第２弾性材料２２ａとが分離不能に接合することにより形成されている。第２弾性材料２２ａは、断面図における鼻ベルト部６の上方部分を形成するとともに、第１弾性材料２１ａよりもゴーグル着用者の顔面寄りである図の右方に位置している。かかる鼻ベルト部６は、断面において両弾性材料２１ａ，２２ａが占める割合を変化させることによって剛性を変化させることができるものであって、ゴーグル着用者の鼻に接触したときに鼻を圧迫することがない。
【００２２】
このような構成を有するゴーグル１では、熱可塑性プラスチックを射出成形することによってレンズ部２を得た後に、熱可塑性エラストマーからなる第１弾性材料２１ａを射出成形することによってレンズ部２の所要部位に第１弾性部材２１を形成する。この時点において、レンズ部２と第１弾性材料２１ａとは、互いに接触する部位において溶着して、分離不能に接合する。次に、熱可塑性エラストマーからなる第２弾性材料２２ａを射出成形することによって、レンズ部２と第１弾性部材２１との所要部位に第２弾性部材２２を形成する。第２弾性材料２２ａは、それが接触するレンズ部２と第１弾性部材２１とに対して溶着して分離不能に接合する。パッド部３では、硬質の第１弾性材料２１ａからなる第１弾性部材２１がレンズ部２と接合することによって、ゴーグル１の着用時に軟質の第２弾性材料２２ａからなる第２弾性部材２２が大きく変形しても、その変形は第１弾性部材２１を大きく変形させることにはならず、互いに接合している第１弾性部材２１とレンズ部２とは剥離することがない。また、大きく変形する可能性のある第２弾性部材２２は、第１弾性部材２１に対して、レンズ部２の前後方向Ｂにおいて接触するばかりでなく、レンズ部２の径方向においても接触してその接触する部位において溶着している。第２弾性部材２２が第１弾性部材２１から容易に分離することがないようにするための手段の一つとして、これら両弾性部材２１と２２との接触面積、即ち溶着面積を広げることが考えられるが、レンズ部２の前後方向Ｂにおいてこれら両弾性部材２１，２２が接触している部位の面積を広げることは、レンズ部２やパッド部３の外径を大きくすることになり、結果として、ゴーグル１の使用時における水の抵抗が増すことの原因になる。しかしながら、図示例のゴーグル１では、第１弾性部材２１に対して、第２弾性部材２２がレンズ部２の径方向からも、換言すると前後方向Ｂだけからではなくてパッド部３の厚さ方向においても接触して溶着しているので、レンズ部２やパッド部３の外径を大きくしなくても、これら両弾性部材２１，２２が接触する面積を広げることができる。このようなゴーグル１は、第２弾性部材２２が大きく変形しても第２弾性部材２２と第１弾性部材２１とが分離することはなく、また第１弾性部材２１とレンズ部２も分離することがない。しかも、ゴーグル１は、遊泳時の水の抵抗が増すことがないように、その外径を小さくすることができる。
【００２３】
この発明を実施するにあたり、図示例においてパッド部３と一体に形成されている鼻ベルト部６を、パッド部３やレンズ部２とは別体のものとして作り、それをパッド部３やレンズ部２に取り付けることができる。またこの発明は、パッド部３をレンズ部２と一体的に成形するのではなくて、レンズ部２とは別体のものとして成形し、そのパッド部３を弾性変形させてレンズ部２に取り付けることができ、さらに好ましくは接着や溶着によってそのパッド部３を固定する。ただし、かかる別体のパッド部３において、第１弾性部材２１と第２弾性部材２２とは射出成形によって一体的に作られる。第１弾性材料２１ａとしては、ＪＩＳ  Ｋ  ６３０１の５．２節「スプリング式硬さ試験」のＡ形による硬さが４０〜９０の天然ゴムや熱可塑性エラストマーを使用し、第２弾性材料２２ａとしては、その硬さが１０〜４０であって第１弾性材料２１ａの硬さとの差が少なくとも２０である天然ゴムや熱可塑性エラストマーを使用することが好ましい。
【００２４】
この発明はまた、第１弾性部材２１と第２弾性部材２２とが硬さの異なるものである場合の他に、色調や化学的組成の異なるものである場合おいても実施することができる。色調の異なる第１弾性部材２１と第２弾性部材２２とを使用すると、ゴーグル１はカラフルなものになる。この発明において化学的組成が異なるものであるとは、第１弾性部材２１と第２弾性部材２２とが種類の異なるエラストマーからなる場合であって、例えばシリコンゴムとウレタンゴムとからなる場合がある。
【産業上の利用可能性】
【００２５】
この発明によれば、水の抵抗を増すことなく弾性材料どうしが強固に接合してパッドを形成しているスイミングゴーグルの製造が可能になる。
【図面の簡単な説明】
【００２６】
【図１】スイミングゴーグルの斜視図。
【図２】図１のＩＩ−ＩＩ線切断面を示す図。
【図３】図１のＩＩＩ−ＩＩＩ線断面図。
【図４】図３におけるレンズ部の断面図。
【図５】図１のＶ−Ｖ線切断面を示す図。
【符号の説明】
【００２７】
１    スイミングゴーグル
２    レンズ部
３    パッド部
４    内端部
６    鼻ベルト部
７    外端部
８    ヘッドバンド部
１１    レンズ部分
１２    周縁部分
２１    第１弾性部材
２２    第２弾性部材
Ａ    横方向
Ｂ    前後方向
Ｃ    縦方向
【図１】
2005160941.tif 000003
【図２】
2005160941.tif 000004
【図３】
2005160941.tif 000005
【図４】
2005160941.tif 000006
【図５】
2005160941.tif 000007